(57)【特許請求の範囲】
【請求項１】
内周面に雌ヘリコイドねじを有する固定枠と、外周部に前記ヘリコイドねじに螺合させる雄ヘリコイドねじを設け、回転駆動下に光軸方向に移動させるカム枠とを備えたカメラのレンズ鏡胴において、
カム枠に設けた雄ヘリコイドねじの一つのねじ山の両端部を当該カム枠の回転規制部として形成し、
カム枠が固定枠の後端側に移動することにより、上記ねじ山の一端部を、カム枠が固定枠の前端側に移動することによりその他端部を各々当接させるストッパ−部を固定枠に設け、
前記した回転規制部によってカム枠の移動範囲を規制する構成としたことを特徴とするカメラのレンズ鏡胴。
【請求項２】
請求項1に記載したカメラのレンズ鏡胴において、
固定枠の後端側のストッパ−部として固定枠に取付けたストッパ−部材で構成し、固定枠の前端側のストッパ−部として、固定枠に設けた雌ヘリコイドねじの谷部に壁部を設けたことを特徴とするカメラのレンズ鏡胴。
【発明の詳細な説明】
【０００１】
【発明の属する技術分野】
この発明は、固定枠に対してヘリコイドねじ送りされるカム枠を備えたカメラのレンズ鏡胴に関し、特に、カム枠のヘリコイドねじによる移動範囲を規制する回転規制部に特徴を有するレンズ鏡胴に係る。
【０００２】
【従来の技術】
図６は従来例として示したカメラのズ−ムレンズ鏡胴の簡略断面図である。
このズ−ムレンズ鏡胴は、固定枠１１、カム枠１２、移動枠１３の３層構成となっており、また、移動枠１３に取付けたレンズ支持枠１４に前レンズ群Ｌ１が支持され、カム枠１２によってカム送りされるレンズ支持枠１５に後レンズ群Ｌ２を支持させた２群レンズ構成となっている。
【０００３】
固定枠１１はカメラ本体に取付けて固定されるもので、この固定枠１１は円筒状に形成され、その内面にはヘリコイドねじ（雌）１１ａと光軸１６方向に直線的に形成されたキ−溝１１ｂとが設けられている。
【０００４】
カム枠１２はレンズ群Ｌ１、Ｌ２を共に変位させるもので、その後側外周部にはヘリコイドねじ（雄）１２ａが設けられている。
このヘリコイドねじ１２ａは固定枠１１のヘリコイドねじ１１ａに螺合してあり、カム枠１２がこれらヘリコイドねじ１１ａ、１２ａにしたがって光軸１６方向に移動する。
【０００５】
また、上記ヘリコイドねじ１２ａが形成されたカム枠１２の後側外周部には、ヘリコイドねじ１２ａと共に平歯車１２ｂが形成され、この平歯車１２ｂがモ−タ駆動される連動歯車に噛合している。
【０００６】
さらに、カム枠１２の内周面には、ヘリコイドねじ（雌）１２ｃと共にカム溝１２ｄが設けられている。
このヘリコイドねじ１２ｃには移動枠１３の後側外周部に設けられたヘリコイドねじ（雄）１３ａが螺合し、また、カム溝１２ｄにはレンズ支持枠１５の連動ピン１５ａが突入している。
【０００７】
一方、カム枠１２の後端には、挟持枠板１７によって挟持させたガイド枠１８が設けられている。
挟持枠板１７は、その係合片部１７ａがカム枠１２の後端フランジ１２ｅに摺動自在に係合し、ガイド枠１８がカム枠１２の回動を許容するようにしてこの挟持枠板１７にねじ止めされている。
【０００８】
また、ガイド枠１８の外周部に突出形成したキ−１８ａが固定枠１１のキ−溝１１ｂに突入させてあり、このキ−溝１８ａによりガイド枠１８を非回動のままカム枠１２と一緒に光軸１６方向に移動させるようになっている。
【０００９】
さらに、上記のガイド枠１８には、光軸方向に延設させたガイド腕１８ｂが設けてあり、連動ピン１５ａがこのガイド腕１８ｂに形成された直進長孔１８ｃを通ってカム枠１２のカム溝１２ｄに突入している。
すなわち、連動ピン１５ａが直進長孔１８ｃに案内されて進むことによってレンズ支持枠１５が非回動で移動する。
【００１０】
また、ガイド腕１８ｂがシャッタユニット１９の孔部２０に出入自在に挿入され、このガイド腕１８ｂにより移動枠１３を非回動に保持する。
なお、シャッタユニット１９はレンズ支持枠１４と共に移動枠１３に取付けられている。
【００１１】
上記したズ−ムレンズ鏡胴は、カム枠１２をモ−タ駆動により回転させると、このカム枠１２がヘリコイドねじ１１ａ、１２ａによって光軸１６方向に移動する。
したがって、移動枠１３がカム枠１２と共に移動すると共に、カム枠１２の回転により、この移動枠１３がヘリコイドねじ１２ｃ、１３ａによって光軸１６方向に移動する。
【００１２】
また、カム枠１２の回転により、連動ピン１５ａがカム溝１２ｄに押動され、レンズ支持枠１５が光軸１６方向に移動する。
このようにして、前群レンズＬ１と後群レンズＬ２が光軸上を変位してズ−ミングが行なわれる。
【００１３】
【発明が解決しようとする課題】
上記したズ−ムレンズ鏡胴は、カム枠１２に設けた平歯車１２ｂをモ−タ駆動の連動歯車により連動し、カム枠１２を回転させながら光軸１６方向に移動させてレンズ群Ｌ１、Ｌ２を変位させる。
そして、このようなズ−ムレンズ鏡胴ではレンズ群Ｌ１、Ｌ２の位置を検出する検出手段を備え、この検出手段の検出情報に基づいてカム枠１２の駆動制御を行なう。
【００１４】
したがって、検出手段に検出エラ−が発生すると、カム枠１２の停止制御ができず、ヘリコイドねじ１１ａ、１２ａの螺合がはずれるなど機械的に破損してしまうことがある。
【００１５】
このような不具合を防止するための構成手段としては多々提案されている。
例えば、時間管理を行なうことで位置検出情報にエラ−が発生した場合にはカム枠１２を強制的に停止制御するものがあるが、しかし、この構成手段は電気制御するものであるため、ノイズ等で一時的に誤動作した場合に機械的に破損してしまうおそれがあった。
【００１６】
また、カメラを落下してしまったときなどのように、カメラに強い衝撃力が加わったときにもカム枠１２のヘリコイドねじ１２ａがヘリコイドねじ１１ａからはずれるなど機械的に破損する。
【００１７】
一方、このような問題を防止するため、カム枠１２のヘリコイドねじ１２ａが固定枠１１の最後端と最先端に進んだときに、それ以上の進行を停止させる機械的なストッパ−が設けられている。
【００１８】
すなわち、固定枠１１のヘリコイドねじ（雌）１１ａの最先端側にストッパ−凸部（図示省略）を設けると共に、固定枠１１の後端部にストッパ−片部２１を設け、カム枠１２のヘリコイドねじ１２ａが最後端と最先端に進んだとき、ヘリコイドねじ（雄）１２ａの一端面が上記のストッパ−片部２１に、その他端面が上記の凸部に各々当接し、それ以上の進行が防止される。
【００１９】
沈胴式カメラについて述べれば、カム枠１２が沈胴位置に移動すると、ヘリコイドねじ１２ａの一端面はストッパ−片部２１に当接し、カム枠１２が最も繰り出された位置ではヘリコイドねじ１２ａの他端面がストッパ−凸部に当接する構成となっている。
【００２０】
したがって、カム枠１２の回転停止精度が、カム枠１２のヘリコイドねじ端面と上記したストッパ−凸部とによって左右されていた。
しかしながら、従来はカム枠１２のヘリコイドねじ１２ａの一端面（第１の当り面）とその他端面（第２の当り面）とを各々別のねじ山条に設けているため、ねじ山の相対位置によって第１、第２の当り面にアンダ−カット形状の角度（軸方向に大きい勾配）ができ回転停止精度が良くなかった。
【００２１】
したがって、第１、第２の当り面を設けるヘリコイドねじ１２ａはアンダ−カットを考慮しながら金型を製作しなければならず、また、アンダ−カットによる角度（勾配）を小さくする場合には金型の割数を増やす必要があり金型が複雑になる等の問題があった。
【００２２】
本発明は上記した実情にかんがみ、カム枠が最も繰り入れた位置と最も繰り出された位置での回転停止の確実を高め、カム枠の停止規制制度を高めたカメラのレンズ鏡胴を提供することを目的とする。
【００２３】
【課題を解決するための手段】
上記した目的を達成するため、本発明では、第１の発明として、内周面に雌ヘリコイドねじを有する固定枠と、外周部に前記ヘリコイドねじに螺合させる雄ヘリコイドねじを設け、回転駆動下に光軸方向に移動させるカム枠とを備えたカメラのレンズ鏡胴において、カム枠に設けた雄ヘリコイドねじの一つのねじ山の両端部を当該カム枠の回転規制部として形成し、カム枠が固定枠の後端側に移動することにより、上記ねじ山の一端部を、カム枠が固定枠の前端側に移動することによりその他端部を各々当接させるストッパ−部を固定枠に設け、前記した回転規制部によってカム枠の移動範囲を規制する構成としたことを特徴とするカメラのレンズ鏡胴を提案する。
【００２４】
このように本発明では、カム枠に設けたヘリコイドねじのうち、一つのねじ山の両端部を回転規制部として形成したので、金型にアンダ−カットを考慮したり、金型の割数を増加させたりすることなく、そのねじ山の両端面の勾配角度を最小限に形成することができる。
【００２５】
このように形成した回転規制部は、固定枠に設けたストッパ−部とによってカム枠の回転を確実に停止させるので、カム枠の高い回転停止規制精度を得ることができる。
【００２６】
また、固定枠に設けるストッパ−部として好ましくは、固定枠の後端側のストッパ−部として固定枠に取付けたストッパ−部材で構成し、固定枠の前端側のストッパ−部として、固定枠に設けた雌ヘリコイドねじの谷部に壁部を設けて構成することができる。
【００２７】
【発明の実施の形態】
次に、本発明の一実施形態について図面に沿って説明する。
図１はカム枠３２の実施形態を示す斜視図である。
このカム枠３２は従来例として示したカム枠１２と同様のもので、その後側外周囲にはヘリコイドねじ（雄）３２ａと平歯車３２ｂとが設けてあり、また、内周面にはヘリコイドねじ３２ｃとカム溝３２ｄが設けてある。
なお、このカム枠３２にも後端フランジが形成してある。
【００２８】
そして、このカム枠３２はそのヘリコイドねじ３２ａのうち、一つのねじ山３２ａａの両端面３３ａ、３３ｂを回転規制部として形成してある。
すなわち、カム枠３２を最も繰り入れたとき一端面３３ａが固定枠のストッパ−に当り、カム枠３２の回転を停止させ、カム枠３２を最も繰り出したときには他端面３３ｂが固定枠のストッパ−に当り、カム枠３２の回転を停止させる。
【００２９】
このように形成したねじ山３２ａａは、その両端３３ａ、３３ｂが図２に示したように、金型アンダ−カットによる勾配角度を小さくすることができるので、ストッパ−に当ったときの停止制度が高く、カム枠３２の回転を確実に停止させることができる。
【００３０】
図３は固定枠３１の実施形態を示す斜視図である。
この固定枠３１は従来例として示した固定枠１１と同様のもので、その内周面にはヘリコイドねじ（雌）３１ａとキ−溝３１ｂが設けてある。
【００３１】
そして、この固定枠３１には、カム枠３２が最も繰り出されたときに回転規制部としての他端面３３ｂが突き当たるストッパ−壁３１ｃがヘリコイドねじ３２ａの谷部に設けてある。
【００３２】
図４は固定枠３１に組付けるカム枠３２と連動歯車３４を備える組付け部品３５を示す斜視図である。
連動歯車３４は細長としてカム枠３２が移動する範囲で平歯車３２ｂに噛合させ、この連動歯車３４をモ−タ駆動することによりカム枠３２を連動回転させる。
【００３３】
また、組付け部品３５の後部にはストッパ−片部３６が設けてある。
このスイッチ片部３６は、カム枠３２が最も繰り入れられたときに回転規制部としての一端面３３ａが突き当たり、図５に示したようにカム枠３２の回転を停止させるものである。
【００３４】
したがって、この実施形態によれば、カム枠３２が最も繰り入れられた位置（カム枠３２のヘリコイドねじ３２ａが固定枠３１の後端側に進んだ位置）では、ヘリコイドねじ３２ａの一つであるねじ山３２ａａの一端面３３ａがストッパ−片部３６につき当たって回転止めされ、カム枠３２が最も繰り出された位置（カム枠３２のヘリコイドねじ３２ａが固定枠３１の前端側に進んだ位置）ではそのねじ山の他端面３３ｂがストッパ−壁３１ｃに突き当たって回転止めされる。
【００３５】
そして、ヘリコイドねじ３２ａの一つであるねじ山３２ａａの一端面３３ａと他端面３３ｂとの勾配角度が小さいことから、カム枠３２の回転停止が高い精度で行なわれ、カム枠３２のヘリコイドねじ３２ａのねじ外れが確実に防止される。
【００３６】
なお、本発明は上記した実施形態にかぎらず、他の構成のカメラ用レンズ鏡胴についても同様に実施することができる。
【００３７】
【発明の効果】
上記した通り、本発明によれば、カム枠に設けたヘリコイドねじの一つのねじ山の両端面を回転規制部として形成したので、金型にアンダ−カットを考慮したり、また、金型割数を多くしたりすることなく、上記ねじ山の両端面の勾配角度を小さく形成することができ、これによって、カム枠の回転停止規制を高い精度で行なうことができるレンズ鏡胴となる。
【図面の簡単な説明】
【図１】本発明の一実施形態であるズ−ムレンズ鏡胴のカム枠を示した斜視図である。
【図２】上記カム枠に設けた回転規制部を示す簡略図である。
【図３】本発明の一実施形態であるズ−ムレンズ鏡胴の固定枠を示す斜視図である。
【図４】カム枠と連動歯車を備える組付け部品とを固定枠に組付ける状態を示す斜視図である。
【図５】カム枠が最も繰り入れた位置で回転停止規制された状態を示す固定枠とカム枠の後面図である。
【図６】従来例として示したズ−ムレンズ鏡胴の簡略断面図である。
【符号の説明】
３１  固定枠
３１ａ  ヘリコイドねじ
３１ｂ  キ−溝
３１ｃ  ストッパ−壁
３２  カム枠
３２ａ  ヘリコイドねじ
３２ｂ  平歯車
３２ｃ  ヘリコイドねじ
３２ｄ  カム溝
３２ａａ  ヘリコイドねじの一つのねじ山
３３ａ  回転規制部を形成する一端面
３３ｂ  回転規制部を形成する他端面
３４  連動歯車
３５  取付け部品
３６  ストッパ−片部
【図１】
0003811891.tif 000002
【図２】
0003811891.tif 000003
【図３】
0003811891.tif 000004
【図４】
0003811891.tif 000005
【図５】
0003811891.tif 000006
【図６】
0003811891.tif 000007